(57)【要約】【課題】  トンネルの覆工コンクリートをセットする際には、坑内配管や坑内動力用の電線とともに弱電用のケーブルを外し、再び取付る必要がある。また、覆工アーチセントル迂回する弱電用のケーブルに長さの余裕が無い時には中継箱から一度ケーブル切り離するために取り外し、取付けを行わなければならない。【解決手段】  前記目的を達成すべく、本発明による弱電用のケーブル８を吊り下げるケーブル吊り具１は、筒状部材５と、クリップ１０と、磁石３０とから構成され、筒状部材５は、表面から内空に亘って切られた切れ目７を有し、弱電用ケーブル８は、切れ目７を通過させて収納されて、グリップ１０により把持され、磁石３０はクリップ１０のつまみ部２３に具備されている。【選択図】図１
2016063582.tif 000002
【特許請求の範囲】
【請求項１】
弱電用のケーブルを吊り下げるケーブル吊り具であって、
軸方向に切れ目を備えた筒状部材と、
バネ仕掛けのクリップと、
磁石と、から構成され、
前記切れ目は、筒状部材の表面から内空に亘って設けられ、
前記ケーブルは、前記切れ目を通過させて筒状部材に収納され、
前記磁石は、前記クリップのつまみ部に具備されることを特徴とする、ケーブル吊り具。
【請求項２】
前記筒状部材は、弾性材料からなる、請求項1に記載のケーブル吊り具。
【発明の詳細な説明】
【技術分野】
【０００１】
本発明は、トンネル坑内で使用する電線の吊り方に関するものである。
【背景技術】
【０００２】
山岳トンネルやシールドトンネルにおいて、切羽と坑口の間には通信や計測あるいはシステム制御のために、弱電用のケーブルが配電されている。これら弱電用のケーブルは、配管用のブラケットや電源用のハンガーラックなどに一緒に架けられて設置されている。また切羽付近のハンガーラックが無い部分では吹付コンクリートに打ち込んだアンカーを利用して弱電用のケーブルを取付けている。
【先行技術文献】
【特許文献】
【０００３】
【特許文献１】特開平８−２１８７７２
【発明の概要】
【発明が解決しようとする課題】
【０００４】
トンネル掘削の進行が進むと仮設備として坑内配管や坑内動力用の電線等をトンネル坑口から切羽に向かって延長していく。
また、掘削されたトンネル区間では、覆工コンクリートを打設するため、坑口から切羽の途中に覆工アーチセントルが位置している。  覆工アーチセントルをセットする際には、アーチセントルと干渉する坑内配管や坑内動力用の電線とともに弱電用のケーブルを一度、取り外し、取付ける作業が生じる。具体的には配管用のブラケットに取付けたバインド線を解いて外し、取り外された弱電用のケーブルは、覆工アーチセントルのセットが完了されると、セントルの鋼材部材を利用したり、あらたな坑内配管用のブラケットや電源ケーブル用ハンガーラックなどを利用して再び固定される。
覆工アーチセントル区間を切り回す弱電用のケーブルに、長さの余裕が無い時には、中継箱から一度切り離され、弱電用のケーブルを余分に足して延長することが行われる。
切羽近くにおいて吹付コンクリート面に取付けたアンカーなどに弱電用のケーブルを仮に取付けた後、配管用のブラケットやハンガーラックが壁面に固定されると、弱電用のケーブルは、取り外して付け替えることがある。
【０００５】
このように、弱電用のケーブルを一度取り外し、再びブラケットやハンガーラックに架設するための作業が生じることになる。
このような作業は、手間が大いにかかる作業である。先行文献１にはこのような観点からトンネル内に取付ける支持金具なるものが記載されている。
【０００６】
本発明は、前述した事情に鑑みて創案されたもので、その目的は弱電用のケーブルの延長や、切り替え、切り回しにおいて、弱電用のケーブルを取付けたり、また取り外したりする作業を、磁石の性質を利用して坑内配管に容易に行うことである。また他の作業の妨げにならない弱電用のケーブル吊り金具を提供することにある。
【課題を解決するための手段】
【０００７】
前記目的を達成すべく、この発明による弱電用のケーブルを吊り下げるケーブル吊り具は、軸方向に切れ目を備えた筒状部材と、バネ仕掛けのクリップと、磁石と、から構成され、この切れ目は、筒状部材の表面から内空に亘って設けられ、弱電用のケーブルは、切れ目を通過させて筒状部材に収納し、クリップのつまみ部には磁石が具備されているケーブル吊り具である。このケーブル吊り具を鋼管などの鋼材に取付けるものである。
【０００８】
なお、筒状部材はゴムなどの弾性材料であることが望ましい。
【０００９】
かかる吊り具によれば、弱電用のケーブルを配管用のブラケットや電線用のハンガーラックなどから取り外す場合には、容易に取り外し作業を行うことが可能となる。
また、延長などして取付ける場合には、容易に坑内配管や鋼製のブラケットなどの位置に取付けることが簡単に行うことができる。
【発明の効果】
【００１０】
弱電用のケーブルを容易に取付け、取り外しすることができる。また、坑内配管や鋼製支保工などを利用して弱電用のケーブルを容易に吊り下げることができる。
【図面の簡単な説明】
【００１１】
【図１】図１は、正面から見た図である。
【図２】図２は、側面から見た図である。
【図３】図３は、ケーブルを吊り下げた状況である。（ａ）は配管に取付けた状況である。（ｂ）は、配管の断面方向から見た図である。
【発明を実施するための形態】
【００１２】
以下、図を用いて実施の形態を説明する。
図１に示す弱電用のケーブルを吊り下げるケーブル吊り具１は、通称「目玉クリップ」と呼ばれているクリップ１０を基に構成されている。
【００１３】
正面視略逆Ｔ字状であるクリップ１０の一片２０は、幅広に加工された把持部２１と、把持部２１に繋がる首部２２と、首部２２に繋がるつまみ部２３からなる。
この一片２０どうしを対向させて一対とし、首部の縁で後方に折返した折り返し部２４を設け、一片２０どうしはこの折り返し部２４を合わせるように貫通する軸２５によって回動自在に軸支される。軸２５にはバネ（図示なし）が備わる。
このバネは把持部２１どうしを常に閉じる方向に付勢させるものである。以上の形態は目玉クリップとして公知なものである。
【００１４】
図１に示すケーブル吊り具１は、クリップ１０のつまみ部２３に磁石３０が取付けられている。つまみ部２３と磁石３０は接着材で固定されている。
磁石３０は、永久磁石を用い、大きさサイズはつまみ部２３の大きさより小さい。磁石３０の形状は、つまみ部２３にとりけられる形状であれば、丸形状、楕円形状、矩形形状なんでもでよい。
図１において磁石３０の寸法は、つまみ部２３の凹み部分（図示なし）に収まるサイズである。できれば一対となる二片の両方のつまみ部２３に磁石３０が設けられることが好ましい。そうすればケーブル吊り具１は、どちらの向きに対しても容易に取付けることが可能となる。また、つまみ部２３の磁石３０に別のケーブル吊り具１の磁石３０を重ねて付けることもできる。
【００１５】
図２は、ケーブル吊り具１を側面から見た図である。
把持部２１どうしは、お互いの湾曲部２６が向かい合い、内方に内空間４が形成され、筒状部材５はその内空間４において把持される。筒状部材５は、中空５１を有する厚みを有する筒状部材５である。筒状部材５の材質は、塩化ビニルやゴムなどで製造された筒状部材５で、弾力性があり柔軟性を有する。
【００１６】
筒状部材５の断面形状は、略円形状である。
その筒状部材５の外径寸法は、把持部２１を広げてできた開口６の幅寸法以下にしなければならない。開口６を通過させて筒状部材５収納するためである。
しかし内空間４の両端側から挿入する場合には、開口６の幅を限定するものではない。
筒状部材５の長さは、把持部２１の幅寸法より長くする。そうすることによって、弱電用のケーブル８が金属製の把持部２１の端部で折れ曲がることなく、弱電用のケーブル８の被覆が保護できる。
ここで述べている弱電用のケーブル８は、ＬＡＮ（Ｌｏｃａｌ  Ａｒｅａ  Ｎｅｔｗｏｒｋ）ケーブルのことで１０ＢａｓｅーＴ、１００ＢａｓｅーＴＸなどと呼ばれているものである。
【００１７】
筒状部材５の表面には、軸方向に沿って一条の切れ目（スリット）７が設けられそのスリット７の深さは、中空５１まで届いている。スリット７は直線状に切られることが望ましい。
筒状部材５としては、例えば家庭で使用する散水用ホースや園芸用ホースまた、化学実験で用いられる塩化ビニルホースやゴムホースなどが挙げられる。
筒状部材５が柔軟性を有するため、手でスリット７を押し広げ弱電用のケーブル８を内空５１に収めることができる。収めた後は、スリット７は自然に元の閉じた状態に戻り、弱電用のケーブル８が筒部材５から脱落することは無い。
【００１８】
次に、使用にあっては、クリップ１のつまみ部２３を握って開口６を広げ、弱電用のケーブル８が収納された筒状部材５を通過させ、内空間４に収めてからクリップ１の握りを緩める。そうすることによって、クリップ１で筒状部材５と弱電用のケーブル８を把持させることができる。
筒状部材５はバネによる押し圧で変形し、筒状部材５が変形することで内空５１に収まる弱電用のケーブル８にも押し圧がかかることになる。このようにしてケーブル吊り具１は、弱電用のケーブル８を把持することができる。
【００１９】
弱電用のケーブル８をケーブル吊り具１から取り外すには、グリップ１０のつまみ部２３を握って開口６を広げ、筒状部材５を通過させる。そうすることで弱電用のケーブル８を外すことができる。
弱電用のケーブル８を外したケーブル吊り具１は、磁石３０の性質を利用して坑内配管などにまとめておくこができる。
１個づつ筒状部材５を弱電用のケーブル８に取付けてグリップ１０で把持し、坑内配管に取付けていくこともよいし、複数の筒状部材５を先に弱電用のケーブル８に取付け、坑内配管に沿って間隔をとってから、グリップ１０を取付けてもよい。
【００２０】
ケーブル吊り具１は、トンネル坑内に敷設されている坑内配管、鋼製支保工、覆工アーチセントル部材の表面に磁石３０の部分を当て取付ける。
ケーブル吊り具１の間隔を調整するには、クリップ１のつまみ部２３を握って筒状部材５の押し圧を緩め、筒状部材５とともにケーブル８に沿って移動させ、所定の取付け位置で手の力を緩め、磁石３０を坑内鋼管に当て取付ける。
また、弱電用のケーブル８が弛んでいる場合には、つまみ部２３を握って押し圧を緩め、弱電用のケーブル８だけを引っ張って緊張させて、つまみ部２３から手を離し、再び把持させることで弱電用のケーブル８の弛みを修正することができる。
【００２１】
以上、本発明に関かわる実施形態について説明した。しかし、本発明は、前述の実施形態に限られず、前記の各構成要件については、本発明の趣旨を逸脱しない範囲で、適宜変更が可能である。例えば、クリップ１０は、目玉クリップである必要はなく、通称ターンクリップ（バインダークリップ）であってもよい。
【符号の説明】
【００２２】
１      ケーブル吊り具
１０    クリップ（バネ仕掛け）
２０    一片（クリップ）
２１    把持部
２２    首部
２３    つまみ部
２４    折り返し部
２５    軸
２６    湾曲部
３０    磁石
４      内空間
５      筒状部材
５１    中空
６      開口
７      切れ目（スリット）
８      弱電用のケーブル
【図１】
2016063582.tif 000003
【図２】
2016063582.tif 000004
【図３】
2016063582.tif 000005